(57)【要約】      （修正有）【課題】信号端子及び電源端子を有し且つ可動ハウジングが固定ハウジングに対して相対移動可能とされた構成において、全体構成を端子配列方向に小型化する。【解決手段】コネクタ１０は、可動ハウジング１４と固定ハウジング３０の一対の側壁部との間に架渡方向Ｙに沿って架け渡された複数の信号端子５０及び一対の電源端子７０を備えている。複数の信号端子５０は、架渡方向Ｙの中間部に弾性変形可能な第一弾性部５０Ｂを有しており、端子配列方向Ｘに配列されている。一対の電源端子７０は、複数の信号端子５０に対して端子配列方向Ｘの両側に配置され、挿抜方向Ｚから見て架渡方向Ｙを長手とする長尺状に形成され、架渡方向Ｙの中間部が可動ハウジング１４における端子配列方向Ｘの端部に保持されており、可動ハウジング１４と一対の側壁部との間に位置する部位にそれぞれ弾性変形可能な第二弾性部７０Ｂを有している。【選択図】図２
2019071215.tif 000002
【特許請求の範囲】
【請求項１】
接続対象物が挿抜される可動ハウジングと、
前記可動ハウジングに対して前記接続対象物の挿抜方向と直交する架渡方向の両側に配置された一対の側壁部を有し、回路基板に固定される固定ハウジングと、
前記可動ハウジングと前記一対の側壁部との間に前記架渡方向に沿って架け渡され、前記架渡方向の中間部に弾性変形可能な第一弾性部を有し、前記挿抜方向及び前記架渡方向と直交する端子配列方向に配列された複数の信号端子と、
前記複数の信号端子に対して前記端子配列方向の両側に配置され、前記挿抜方向から見て前記架渡方向を長手とする長尺状に形成されて前記一対の側壁部間に架け渡され、前記架渡方向の中間部が前記可動ハウジングにおける前記端子配列方向の端部に保持され、前記可動ハウジングと前記一対の側壁部との間に位置する部位にそれぞれ弾性変形可能な第二弾性部を有する一対の電源端子と、
を備えたコネクタ。
【請求項２】
前記電源端子は、
前記架渡方向の中間部に設けられ、前記接続対象物と電気的に接触されて前記複数の信号端子側へ弾性変形する接触部と、
前記接触部から前記架渡方向の両側へそれぞれ延出された一対の前記第二弾性部と、
前記一対の第二弾性部における前記接触部とは反対側の端部からそれぞれ前記端子配列方向の外側へ延出されて前記固定ハウジングに保持され、前記回路基板に固定される一対の接続部と、
を有している請求項１に記載のコネクタ。
【請求項３】
前記可動ハウジングにおける前記端子配列方向の端部には、前記端子配列方向の外側へ向けて開口し、前記接触部の少なくとも一部を収容した収容凹部が形成されている請求項２に記載のコネクタ。
【請求項４】
前記可動ハウジングにおける前記端子配列方向の端部には、前記端子配列方向の外側及び前記架渡方向の外側へ向けて開口し、前記一対の第二弾性部の少なくとも一部を収容した一対のばね収容凹部が形成されている請求項２又は請求項３に記載のコネクタ。
【発明の詳細な説明】
【技術分野】
【０００１】
本発明は、コネクタに関し、より具体的には、信号端子及び電源端子を有し且つ可動ハウジングが固定ハウジングに対して相対移動可能とされたコネクタに関する。
【背景技術】
【０００２】
下記特許文献１には、信号端子及び電源端子を有し、回路基板同士を導通接続する基板間コネクタが記載されている。この基板間コネクタでは、一方の回路基板に取り付けられるソケットと、他方の回路基板に取り付けられるプラグとが互いに嵌合される構成になっており、上記のソケットが、可動式のコネクタとされている。このソケットは、上記一方の回路基板に装着される共通ハウジング（固定ハウジング）と、互いに所定間隔を隔てて隣り合わせて配置された信号端子ブロック及び一対の電源端子ブロック（何れも可動ハウジング）とを備えている。信号端子ブロックは、多数の信号端子を介して共通ハウジングと連結されている。また、一対の電源端子ブロックは、それぞれ一対の電源端子を介して共通ハウジングと連結されている。信号端子及び電源端子には、弾性変形可能なばね部（弾性部）が設けられており、信号端子ブロック及び一対の電源端子ブロックが共通ハウジングに対して相対移動可能とされている。これにより、ソケットとプラグとの嵌合ズレを吸収するようにしている。
【先行技術文献】
【特許文献】
【０００３】
【特許文献１】特開２００６−８５９４４号公報
【発明の概要】
【発明が解決しようとする課題】
【０００４】
ところで、近年の電子機器の小型化に伴い、回路基板に取り付けられるコネクタの小型化が求められている。この点、上記の先行技術のように信号端子と電源端子とを併せ持つコネクタを用いれば、信号端子を持つコネクタと電源端子を持つコネクタとを別々に回路基板に取り付ける場合と比較して、回路基板上でのコネクタの設置スペースを省スペース化することができる。
【０００５】
しかしながら、上記の先行技術では、共通ハウジング（固定ハウジング）における端子配列方向の中間部に信号端子ブロック（可動ハウジング）が配置され、共通ハウジングにおける端子配列方向の両端部にそれぞれ電源端子ブロック（別の可動ハウジング）が配置されている。その結果、共通ハウジングが端子配列方向に大型化しており、コネクタの全体構成が端子配列方向に大型化している。
【０００６】
本発明は上記事実を考慮し、信号端子及び電源端子を有し且つ可動ハウジングが固定ハウジングに対して相対移動可能とされた構成において、全体構成を端子配列方向に小型化することができるコネクタを得ることを目的とする。
【課題を解決するための手段】
【０００７】
請求項１に記載の発明に係るコネクタは、接続対象物が挿抜される可動ハウジングと、前記可動ハウジングに対して前記接続対象物の挿抜方向と直交する架渡方向の両側に配置された一対の側壁部を有し、回路基板に固定される固定ハウジングと、前記可動ハウジングと前記一対の側壁部との間に前記架渡方向に沿って架け渡され、前記架渡方向の中間部に弾性変形可能な第一弾性部を有し、前記挿抜方向及び前記架渡方向と直交する端子配列方向に配列された複数の信号端子と、前記複数の信号端子に対して前記端子配列方向の両側に配置され、前記挿抜方向から見て前記架渡方向を長手とする長尺状に形成されて前記一対の側壁部間に架け渡され、前記架渡方向の中間部が前記可動ハウジングにおける前記端子配列方向の端部に保持され、前記可動ハウジングと前記一対の側壁部との間に位置する部位にそれぞれ弾性変形可能な第二弾性部を有する一対の電源端子と、を備えている。
【０００８】
請求項１に記載のコネクタでは、回路基板に固定される固定ハウジングは、接続対象物が挿抜される可動ハウジングに対して接続対象物の挿抜方向と直交する架渡方向の両側に配置された一対の側壁部を有している。そして、可動ハウジングと一対の側壁部との間には、複数の信号端子及び一対の電源端子が架渡方向に沿って架け渡されている。複数の信号端子は、挿抜方向及び架渡方向と直交する端子配列方向に配列されており、架渡方向の中間部に弾性変形可能な第一弾性部を有している。一対の電源端子は、複数の信号端子に対して端子配列方向の両側に配置され、一対の側壁部間に架け渡されている。これらの電源端子は、架渡方向の中間部が可動ハウジングにおける端子配列方向の端部に保持されており、前記一対の側壁部と可動ハウジングとの間に位置する部位にそれぞれ弾性変形可能な第二弾性部を有している。
【０００９】
このコネクタでは、各信号端子が有する第一弾性部と、各電源端子が有する一対の第二弾性部とが弾性変形することで、固定ハウジングに対する可動ハウジングの相対移動が許容される。また、このコネクタでは、複数の信号端子及び一対の電源端子が、共通の可動ハウジングと固定ハウジングとの間に架け渡されているので、複数の可動ハウジングが端子配列方向に並んで設けられた構成と比較して、端子配列方向における可動ハウジングの配置スペースを小さくすることができる。しかも、各電源端子が、挿抜方向から見て架渡方向を長手とする長尺状に形成されているので、端子配列方向における各電源端子の配置スペースを小さくすることができる。以上のことから、本発明のコネクタでは、全体構成を端子配列方向に小型化することができる。
【００１０】
請求項２に記載の発明に係るコネクタは、請求項１において、前記電源端子は、前記架渡方向の中間部に設けられ、前記接続対象物と電気的に接触されて前記複数の信号端子側へ弾性変形する接触部と、前記接触部から前記架渡方向の両側へそれぞれ延出された一対の前記第二弾性部と、前記一対の第二弾性部における前記接触部とは反対側の端部からそれぞれ前記端子配列方向の外側へ延出されて前記固定ハウジングに保持され、前記回路基板に固定される一対の接続部と、を有している。
【００１１】
請求項２に記載のコネクタによれば、電源端子の架渡方向の中間部に設けられた接触部が、可動ハウジングにおける端子配列方向の端部に保持されている。この接触部は、接続対象物と電気的に接触されて複数の信号端子側へ弾性変形するので、接触部が弾性変形するためのスペースを複数の信号端子とは反対側（端子配列方向の外側）に確保する必要が無い。また、電源端子が有する一対の第二弾性部は、接触部から架渡方向の両側へそれぞれ延出されているので、端子配列方向における一対の第二弾性部の配置スペースを小さく設定することができる。さらに、電源端子が有する一対の接続部は、一対の第二弾性部における接触部とは反対側の端部からそれぞれ端子配列方向の外側（複数の信号端子とは反対側）へ延出されている。このように一対の接続部の延出方向が設定されているので、一対の接続部が、一対の第二弾性部における接触部とは反対側の端部からそれぞれ複数の信号端子側へ延出されている構成と比較して、接触部及び一対の第二弾性部を複数の信号端子に近づけて配置させることができる。その結果、接触部が端子配列方向の端部に保持される可動ハウジングを、端子配列方向に小型化することができる。以上のことから、本発明のコネクタによれば、全体構成を端子配列方向に更に小型化することができる。
【００１２】
請求項３に記載の発明に係るコネクタは、請求項２において、前記可動ハウジングにおける前記端子配列方向の端部には、前記端子配列方向の外側へ向けて開口し、前記接触部の少なくとも一部を収容した収容凹部が形成されている。
【００１３】
請求項３に記載のコネクタによれば、可動ハウジングにおける端子配列方向の端部には、端子配列方向の外側へ向けて開口した収容凹部が形成されている。この収容凹部には、電源端子が有する接触部の少なくとも一部が収容されている。これにより、本コネクタの全体構成を端子配列方向に小型化するに際し、接触部の配置スペースを確保し易くなる。
【００１４】
請求項４に記載の発明に係るコネクタは、請求項２又は請求項３において、前記可動ハウジングにおける前記端子配列方向の端部には、前記端子配列方向の外側及び前記架渡方向の外側へ向けて開口し、前記一対の第二弾性部の少なくとも一部を収容した一対のばね収容凹部が形成されている。
【００１５】
請求項４に記載のコネクタによれば、可動ハウジングにおける端子配列方向の端部には、端子配列方向の外側及び架渡方向の外側へ向けて開口した一対のばね収容凹部が形成されている。これら一対のばね収容凹部には、電源端子が有する一対の第二弾性部の少なくとも一部が収容されている。これにより、本コネクタの全体構成を端子配列方向に小型化するに際し、一対の第二弾性部の配置スペースを確保し易くなる。
【発明の効果】
【００１６】
以上説明したように、本発明に係るコネクタによれば、信号端子及び電源端子を有し且つ可動ハウジングが固定ハウジングに対して相対移動可能とされた構成において、全体構成を端子配列方向に小型化することができる。
【図面の簡単な説明】
【００１７】
【図１】本発明の実施形態に係るコネクタを示す斜視図である。
【図２】本発明の実施形態に係るコネクタを、固定ハウジングを透視した状態で示す図１に対応した斜視図である。
【図３】本発明の実施形態に係る可動ハウジングの斜視図である。
【図４】本発明の実施形態に係る固定ハウジングの斜視図である。
【図５】本発明の実施形態に係るコネクタの平面図である。
【図６】本発明の実施形態に係るコネクタの底面図である。
【図７】本発明の実施形態に係るコネクタの側面図である。
【図８】図５のＦ８−Ｆ８線に沿った切断面を示す断面図である。
【図９】本発明の実施形態に係る信号端子の斜視図である。
【図１０】本発明の実施形態に係る電源端子の斜視図である。
【図１１】本発明の実施形態に係る電源端子の正面図である。
【図１２】本発明の実施形態に係る電源端子の側面図である。
【図１３】本発明の実施形態に係る電源端子の底面図である。
【図１４】電源端子の変形例を示す図１０に対応した斜視図である。
【発明を実施するための形態】
【００１８】
以下、図１〜図１４を用いて、本発明の一実施形態に係るコネクタ１０について説明する。なお、説明の便宜上、各図中に適宜記す矢印ＦＲをコネクタ１０の前方とし、矢印ＬＨをコネクタ１０の左方とし、矢印ＵＰをコネクタ１０の上方とする。以下、単に前後、左右、上下の方向を用いて説明する場合、コネクタ１０に対する方向を示すものとする。これらの方向は、コネクタ１０の使用状態での方向とは無関係である。また、各図においては、図面を見易くする関係から、一部の符号を省略している場合がある。
【００１９】
（構成）
図１〜図８に示されるように、本実施形態に係るコネクタ１０は、所謂可動（フローティング）コネクタであり、接続対象物としての相手側コネクタ１２（図１以外では図示省略）が挿抜される可動ハウジング１４と、図示しない回路基板に固定される固定ハウジング３０と、を備えている。固定ハウジング３０は、可動ハウジング１４に対して相手側コネクタ１２の挿抜方向（矢印Ｚ方向）と直交する架渡方向（矢印Ｙ方向）の両側に配置された一対の側壁部３０Ａ、３０Ｂを有している。
【００２０】
また、このコネクタ１０は、可動ハウジング１４と一対の側壁部３０Ａ、３０Ｂとの間に架渡方向Ｙに沿って架け渡され、挿抜方向Ｚ及び架渡方向Ｙと直交する端子配列方向（矢印Ｘ方向）に配列された複数の信号端子５０と、複数の信号端子５０に対して端子配列方向Ｘの両側に配置され、可動ハウジング１４と一対の側壁部３０Ａ、３０Ｂとの間に架渡方向Ｙに沿って架け渡された一対の電源端子７０と、を備えている。
【００２１】
このコネクタ１０は、基板対基板接続用コネクタのプラグ（雄型）を構成しており、レセプタクル（雌型）である相手側コネクタ１２は、上記の回路基板とは別の相手側回路基板に固定される構成になっている。相手側コネクタ１２には、複数の信号端子５０と電気的に接続される図示しない複数の相手側信号端子と、一対の電源端子７０と電気的に接続される図示しない一対の相手側電源端子とが設けられている。
【００２２】
なお、コネクタ１０の接続対象物は、相手側コネクタ１２に限らず、バスバーや角ピンであってもよい。また、本実施形態において、上記の挿抜方向Ｚは、コネクタ１０の上下方向と一致しており、上記の架渡方向Ｙは、コネクタ１０の左右方向と一致しており、上記の端子配列方向Ｘは、コネクタ１０の前後方向と一致している。以下の説明では、挿抜方向Ｚを「上下方向」と称し、架渡方向Ｙを「左右方向」と称し、端子配列方向Ｘを「前後方向」と称する場合がある。このコネクタ１０は、前後方向及び左右方向に対称な形状に形成されている。
【００２３】
（可動ハウジングについて）
図１〜図３、図５〜図８に示されるように、可動ハウジング１４は、上方へ向けて開口した矩形の有底孔１６を有して有底の略矩形筒状（略直方体状）に形成されている。この可動ハウジング１４は、左右方向に対向した左右一対の側壁部１４Ａ、１４Ｂと、左右の側壁部１４Ａ、１４Ｂの前後両端部を左右方向に繋いだ前後一対の連結壁部１４Ｃ、１４Ｄと、左右の側壁部１４Ａ、１４Ｂを左右方向に繋ぐと共に前後の連結壁部１４Ｃ、１４Ｄを前後方向に繋いだ底壁部１４Ｅ（図８参照）とを一体に備えている。左右の側壁部１４Ａ、１４Ｂは、前後方向に延在しており、前後の連結壁部１４Ｃ、１４Ｄは、左右方向に延在している。底壁部１４Ｅは、可動ハウジング１４の略下半部に設けられており、上下方向に厚く形成されている。この可動ハウジング１４は、例えば合成樹脂等の絶縁性材料によって製造されたものである。なお、本実施形態に係る可動ハウジング１４は、前後方向を長手とする長尺状に形成されているが、可動ハウジング１４における前後方向の寸法は、信号端子５０の数によって適宜変更される構成になっている。
【００２４】
前後の連結壁部１４Ｃ、１４Ｄ（可動ハウジング１４の前後両端部）の下端部には、前後方向外側（端子配列方向Ｘの外側）へ向けて突出した前後一対の係合凸部１８が形成されている。前後の係合凸部１８は、直方体状に形成されている。
【００２５】
左右の側壁部１４Ａ、１４Ｂにおける有底孔１６側の面には、上下方向に延びる複数の信号端子挿入溝２０Ａが前後方向に等間隔に並んで形成されている。これらの信号端子挿入溝２０Ａは、有底孔１６側及び上方側へ向けて開口している。また、これらの信号端子挿入溝２０Ａは、底壁部１４Ｅを上下方向に貫通した複数の信号端子挿入孔２０Ｂに連通されている。複数の信号端子挿入孔２０Ｂの下端部は、各側壁部１４Ａ、１４Ｂの左右方向両側へ向けて開口した溝状の溝状部２０Ｂ１とされている。これらの信号端子挿入溝２０Ａ及び信号端子挿入孔２０Ｂは、上下方向から見て左右方向を長手とする長尺状に形成されており、信号端子挿入部２０を構成している。
【００２６】
前後の連結壁部１４Ｃ、１４Ｄにおける左右方向中央部には、前後方向外側へ向けて開口した収容凹部２２がそれぞれ形成されている。前後の収容凹部２２は、上下方向に延びており、係合凸部１８の基端部に形成された矩形の貫通孔２４に連通されている。この貫通孔２４は、係合凸部１８の基端部を上下方向に貫通している。また、各収容凹部２２の下端部は、可動ハウジング１４の下面に形成された左右一対の弾性部挿入溝２６に連通されている。左右の弾性部挿入溝２６は、左右方向に延びており、左右方向両側へ向けて開口している。また、前後の連結壁部１４Ｃ、１４Ｄの略下半部における左右方向両側には、それぞればね収容凹部２８が形成されている。左右一対のばね収容凹部２２は、前後方向外側及び左右方向外側へ向けて開口している。
【００２７】
（固定ハウジングについて）
図１〜図２、図４〜図８に示されるように、固定ハウジング３０は、上下方向に貫通した矩形の貫通孔３２を有して略矩形枠状に形成されている。この固定ハウジング３０は、左右方向に対向した左右一対の側壁部３０Ａ、３０Ｂと、左右の側壁部３０Ａ、３０Ｂの前後方向両端部を左右方向に繋いだ前後一対の連結壁部３０Ｃ、３０Ｄとを一体に備えている。左右の側壁部３０Ａ、３０Ｂは、前後方向に延在しており、前後の連結壁部３０Ｃ、３０Ｄは、左右方向に延在している。この固定ハウジング３０は、例えば合成樹脂等の絶縁性材料によって製造されたものである。なお、本実施形態に係る固定ハウジング３０は、前後方向を長手とする長尺状に形成されているが、固定ハウジング３０における前後方向の寸法は、信号端子５０の数によって適宜変更される構成になっている。
【００２８】
固定ハウジング３０の貫通孔３２の内側には、可動ハウジング１４の略下半部が挿入されており、可動ハウジング１４の略上半部は、固定ハウジング３０の上方側（外側）に配置されている。固定ハウジング３０の貫通孔３２の内周面と、可動ハウジング１４の略下半部の外周面との間には、上下方向から見て略矩形環状の隙間３４（図５及び図６以外では符号省略）が形成されている。
【００２９】
左右の側壁部３０Ａ、３０Ｂの前後方向中間部には、上下方向に貫通した複数の信号端子挿入孔３６が前後方向に等間隔に並んで形成されている。また、左右の側壁部３０Ａ、３０Ｂの前後方向両端部には、上下方向に貫通した電源端子挿入孔３８がそれぞれ形成されている。複数の信号端子挿入孔３６の下端部は、各側壁部３０Ａ、３０Ｂの左右方向両側へ向けて開口した溝状の溝状部３６Ａとされている。前後の電源端子挿入孔３８は、上下方向から見て前後方向を長手とする長尺状に形成されている。
【００３０】
前後の連結壁部３０Ｃ、３０Ｄの左右方向中間部の下部には、上方側へ凹んだ係合凹部４０がそれぞれ形成されている。前後の係合凹部４０内には、可動ハウジング１４に形成された前後の係合凸部１８が配置されている。各係合凸部１８の上面は、各係合凹部４０の上面に対して接触又は近接して対向している。これらの係合凸部１８及び係合凹部４０は、可動ハウジング１４が固定ハウジング３０に対して上方側へ脱落することを防止する抜止として機能する。また、各係合凸部１８の左右両側面と、各係合凹部４０の左右両側面との間には、固定ハウジング３０に対する可動ハウジング１４の相対移動を許容するための隙間がそれぞれ形成されている。
【００３１】
また、前後の連結壁部３０Ｃ、３０Ｄの下面には、下方側へ突出した位置決めボス４２がそれぞれ形成されている。前側の位置決めボス４２は、前側の係合凹部４０に対して左側に配置されており、後側の位置決めボス４２は、後側の係合凹部４０に対して右側に配置されている。これらの位置決めボス４２は、回路基板に形成された位置決め孔に嵌入される構成になっている。
【００３２】
（信号端子について）
図１〜図２、図５〜図９に示されるように、複数の信号端子５０は、導電性を有する金属板が所定の形状に打ち抜ぬかれて製造されたものであり、左右一対の端子列５２Ａ、５２Ｂを構成している。左右の端子列５２Ａ、５２Ｂは、それぞれ複数の信号端子５０が前後方向に等間隔に並べられた構成になっている。左側の端子列５２Ａが有する複数の信号端子５０と、右側の端子列５２Ｂが有する複数の信号端子５０とは、同一の形状に形成されているが、互いに左右方向に反対向きの姿勢で配置されている。左側の端子列５２Ａが有する複数の信号端子５０は、固定ハウジング３０の左側の側壁部３０Ａと、可動ハウジング１４との間に左右方向に沿って架け渡されており、右側の端子列５２Ｂが有する複数の信号端子５０は、固定ハウジング３０の右側の側壁部３０Ｂと、可動ハウジング１４との間に左右方向に沿って架け渡されている。なお、図９には、左側の端子列５２Ａが有する一の信号端子５０と、右側の端子列５２Ｂが有する一の信号端子５０とが図示されている。
【００３３】
各信号端子５０は、可動ハウジング１４に保持され、相手側コネクタ１２に設けられた相手側信号端子と電気的に接触されて左右方向外側へ弾性変形する第一接触部５０Ａと、第一接触部５０Ａから左右方向外側へ延出され、弾性変形可能とされた第一弾性部５０Ｂと、第一弾性部５０Ｂにおける第一接触部５０Ａとは反対側の端部から左右方向外側へ延出されて固定ハウジング３０に保持され、回路基板に固定される第一接続部５０Ｃと、を有している。
【００３４】
第一接触部５０Ａは、前後方向を板厚方向とし且つ上下方向を長手方向とする長尺板状に形成されており、可動ハウジング１４の信号端子挿入部２０に対して下方側から挿入されている。この第一接触部５０Ａの略下半部は、可動ハウジング１４の信号端子挿入孔２０Ｂ内に挿入（圧入）された第一保持部５０Ａ１とされている。この第一保持部５０Ａ１には、可動ハウジング１４の左右方向中央側へ突出した複数の爪部５４が上下方向に並んで形成されている。これら複数の爪部５４が信号端子挿入孔２０Ｂの内周面に食い込むことで、第一保持部５０Ａ１が可動ハウジング１４に保持されている。
【００３５】
第一接触部５０Ａの略上半部は、上下方向に延びるスリット５６によって左右方向に分割された左右一対の第一接点弾性部５０Ａ２、５０Ａ３とされている。これらの第一接点弾性部５０Ａ２、５０Ａ３は、可動ハウジング１４の信号端子挿入溝２０Ａ内に挿入されており、左右方向に弾性変形可能とされている。左右方向外側の第一接点弾性部５０Ａ２は、左右方向中央側の第一接点弾性部５０Ａ３よりも上方側へ延びている。左右の第一接点弾性部５０Ａ２、５０Ａ３の上端部には、それぞれ可動ハウジング１４の有底孔１６内へ突出した第一接点部５６、５８が形成されている。これらの第一接点部５６、５８は、相手側コネクタ１２に設けられた相手側信号端子と接触される。これにより、信号端子５０が相手側信号端子と電気的に接続される。この電気的な接続は、第一接点部５６、５８のうちの一方が損傷した場合でも、第一接点部５６、５８のうちの他方によって確保される構成になっている。
【００３６】
第一接続部５０Ｃは、固定ハウジング３０の信号端子挿入孔３６に対して下方側から挿入（圧入）された第一圧入部５０Ｃ１と、第一圧入部５０Ｃ１の下端から左右方向外側へ延出され、信号端子挿入孔３６の溝状部３６Ａ内に挿入された第一接続片５０Ｃ２とを有しており、前後方向視で略Ｌ字状に形成されている。第一圧入部５０Ｃ１の上部には、固定ハウジング３０の左右方向中央側へ突出した爪部６０が形成されている。この爪部６０が信号端子挿入孔３６の内周面に引っ掛かることで、第一圧入部５０Ｃ１が固定ハウジング３０に保持されている。第一接続片５０Ｃ２は、固定ハウジング３０よりも左右方向外側へ突出している。この第一接続片５０Ｃ２は、ハンダ付け等の手段によって回路基板に固定（電気的に接続）される構成になっている。
【００３７】
第一弾性部５０Ｂは、信号端子５０の左右方向中間部を構成しており、第一接触部５０Ａの下端から左右方向外側へ一体に延出されている。この第一弾性部５０Ｂにおける第一接触部５０Ａとは反対側の端部からは、上記の第一接続部５０Ｃが一体に延出されている。この第一弾性部５０Ｂは、左右方向中間部が上方（相手側コネクタ１２の抜去方向）へ凸をなして曲がった第一ばね部５０Ｂ１とされている。この第一ばね部５０Ｂ１は、前後方向から見て下方側が開放された逆Ｕ字状をなしている。
【００３８】
（電源端子について）
図１〜図２、図５〜図８、図１０〜図１３に示されるように、一対の電源端子７０は、導電性を有する金属板が打ち抜かれると共に、折り曲げ加工を施されて製造されたものである。一対の電源端子７０は、複数の信号端子５０に対して前後方向両側に配置されている。これら一対の電源端子７０は、同一の形状に形成されており、互いに前後方向に反対向きの姿勢で配置されている。各電源端子７０は、上下方向から見て左右方向を長手とする長尺状に形成されており、一対の側壁部３０Ａ、３０Ｂ間に架け渡されている。各電源端子７０の左右方向中間部は、可動ハウジング１４における前後方向の端部に保持されている。また、各電源端子７０は、可動ハウジング１４と一対の側壁部３０Ａ、３０Ｂとの間に位置する部位に、それぞれ弾性変形可能な第二弾性部７０Ｂを有している。なお、本実施形態では、各電源端子７０における上下方向の寸法が、各電源端子７０における左右方向の寸法よりも若干短く設定されているが、これに限るものではない。各電源端子７０における上下方向の寸法は、コネクタ１０の仕様等に応じて適宜変更可能であり、各電源端子７０が、前後方向（端子配列方向Ｘ）から見て上下方向（挿抜方向Ｚ）を長手とする長尺状に形成された構成にしてもよい。
【００３９】
各電源端子７０の左右方向中間部（左右方向中央部）には、第二接触部７０Ａが設けられている。第二接触部７０Ａは、相手側コネクタ１２に設けられた相手側電源端子と電気的に接触されて複数の信号端子５０側へ弾性変形する。また、各電源端子７０は、第二接触部７０Ａから左右方向両側へそれぞれ延出された前記一対の第二弾性部７０Ｂと、左右の第二弾性部７０Ｂにおける第二接触部７０Ａとは反対側の端部からそれぞれ前後方向外側へ延出された左右一対の第二接続部７０Ｃとを有している。左右の第二接続部７０Ｃは、固定ハウジング３０に保持されると共に、回路基板に固定される構成になっている。第二接触部７０Ａは、本発明における「接触部」に相当し、第二接続部７０Ｃは、本発明における「接続部」に相当する。以下、具体的に説明する。
【００４０】
第二接触部７０Ａは、前後方向を板厚方向とし且つ上下方向を長手方向とする長尺板状に形成されている。この第二接触部７０Ａは、前後方向に沿った板厚寸法が、左右方向に沿った幅寸法よりも小さく設定されている。この第二接触部７０Ａの一部（後述する左右の第二接点部７１Ａ１、７１Ｂ１を除く大部分）は、可動ハウジング１４の収容凹部２２内に収容されている。この第二接触部７０Ａの下部は、第二保持部７０Ａ１とされている。第二保持部７０Ａ１は、可動ハウジング１４の収容凹部２２内の下部に挿入（圧入）されている。この第二保持部７０Ａ１には、左右方向両側へ突出した複数の爪部７２が上下方向に並んで形成されている。これら複数の爪部７２が収容凹部２２の左右の側面に食い込むことで、第二保持部７０Ａ１が可動ハウジング１４に保持されている。
【００４１】
第二接触部７０Ａの上下方向中間部及び上部は、前後方向に弾性変形可能な第二接点弾性部７０Ａ２とされている。この第二接点弾性部７０Ａ２は、収容凹部２２内の上下方向中間部から上部にわたって延在している。この第二接点弾性部７０Ａ２は、上方側へ向かうほど左右方向の幅が僅かに減少するように形成されており、収容凹部２２の左右の側面に対して非接触状態で配置されている。また、この第二接点弾性部７０Ａ２と第二保持部７０Ａ１との間には、屈曲部７４が形成されており、第二接点弾性部７０Ａ２は、上方側へ向かうほど前後方向外側へ向かうように上下方向に対して僅かに傾斜している。これにより、第二接点弾性部７０Ａ２と収容凹部２２の底面との間には、第二接点弾性部７０Ａ２が複数の信号端子５０側（可動ハウジング１４の前後方向中央側）へ弾性変形するための隙間２２Ａ（図８参照）が形成されている。
【００４２】
この第二接点弾性部７０Ａ２の上部は、上下方向に延びるスリット７６によって左右一対の分割部７１Ａ、７１Ｂに分割されている。また、左右の分割部７１Ａ、７１Ｂの上部には、前後方向外側へ向けて略円弧状に膨出した第二接点部７１Ａ１、７１Ｂ１が設けられている。これらの第二接点部７１Ａ１、７１Ｂ１は、収容凹部２２の前後方向外側へ突出しており、相手側コネクタ１２に設けられた相手側電源端子と接触される。これにより、電源端子７０が相手側電源端子と電気的に接続される。この電気的な接続は、第二接点部７１Ａ１、７１Ｂ１のうちの一方が損傷した場合でも、第二接点部７１Ａ１、７１Ｂ１のうちの他方によって確保される構成になっている。なお、第二接点弾性部７０Ａ２の上部がスリット７６によって左右の分割部７１Ａ、７１Ｂ（左右の第二接点部７１Ａ１、７１Ｂ１）に分割された構成に限らず、スリット７６が省略された構成にしてもよい。
【００４３】
左右の第二接続部７０Ｃは、固定ハウジング３０の電源端子挿入孔３８に対して下方側から挿入（圧入）された第二圧入部７０Ｃ１と、第二圧入部７０Ｃ１の下端から左右方向外側へ延出された第二接続片７０Ｃ２とを有しており、前後方向視で略Ｌ字状に形成されている。第二圧入部７０Ｃ１の上部には、前後方向両側へ突出した複数の爪部７８が上下方向に並んで形成されている。これらの爪部７８が電源端子挿入孔３８の内周面に食い込むことで、第二圧入部７０Ｃ１が固定ハウジング３０に保持されている。左右の第二接続片７０Ｃ２は、固定ハウジング３０よりも左右方向外側へ突出している。これらの第二接続部７０Ｃ、ハンダ付け等の手段によって回路基板に固定（電気的に接続）される構成になっている。
【００４４】
左右の第二弾性部７０Ｂは、第二接触部７０Ａの第二保持部７０Ａ１の下端から左右方向両側へ一体に延出されている。これらの第二弾性部７０Ｂにおける第二接触部７０Ａとは反対側の端部からは、左右の第二接続部７０Ｃが一体に延出されている。左右の第二弾性部７０Ｂにおける第二接触部７０Ａ側の端部は、可動ハウジング１４の下面に形成された左右の弾性部挿入溝２６内に挿入されている。また、左右の第二弾性部７０Ｂの左右方向中間部は、上方（相手側コネクタ１２の抜去方向）へ凸をなして曲がった第二ばね部７０Ｂ１とされている。これらの第二ばね部７０Ｂ１は、前後方向から見て下方側が開放された逆Ｕ字状をなしている。左右の第二弾性部７０Ｂの一部（第二接続部７０Ａ側の略半分の部位）は、可動ハウジング１４の左右のばね収容凹部２８に収容されている。
【００４５】
（作用及び効果）
次に、本実施形態の作用及び効果について説明する。
【００４６】
上記構成のコネクタ１０では、固定ハウジング３０の一対の側壁部３０Ａ、３０Ｂと可動ハウジング１４との間に、複数の信号端子５０及び一対の電源端子７０が架け渡されている。複数の信号端子５０は、上下方向（挿抜方向Ｚ）及び左右方向（架渡方向Ｙ）と直交する前後方向（端子配列方向Ｘ）に配列されており、架渡方向Ｙの中間部に弾性変形可能な第一弾性部５０Ｂを有している。一対の電源端子７０は、複数の信号端子５０に対して端子配列方向Ｘの両側に配置され、一対の側壁部３０Ａ、３０Ｂ間に架け渡されている。これらの電源端子７０は、架渡方向Ｙの中間部が可動ハウジング１４における端子配列方向Ｘの端部に保持されており、一対の側壁部３０Ａ、３０Ｂと可動ハウジング１４との間に位置する部位にそれぞれ弾性変形可能な第二弾性部７０Ｂを有している。
【００４７】
このコネクタ１０では、各信号端子５０が有する第一弾性部５０Ｂと、各電源端子７０が有する一対の第二弾性部７０Ｂとが弾性変形することで、固定ハウジング３０に対する可動ハウジング１４の相対移動が許容される。これにより、コネクタ１０と相手側コネクタ１２との嵌合ずれを吸収することができる。
【００４８】
しかも、このコネクタ１０は、信号端子５０と電源端子７０とを併せ持っているので、信号端子を持つコネクタと電源端子を持つコネクタとを別々に回路基板に取り付ける場合と比較して、回路基板上でのコネクタ１０の設置スペースを省スペース化することができると共に、回路基板へのコネクタ１０の組付作業を簡素化することができる。
【００４９】
さらに、このコネクタ１０では、複数の信号端子５０と一対の電源端子７０とが、共通の可動ハウジング１４と固定ハウジング３０との間に架け渡されているので、複数の可動ハウジングが端子配列方向Ｘに並んで設けられた構成と比較して、端子配列方向Ｘにおける可動ハウジング１４の配置スペースを小さくすることができる。しかも、各電源端子７０が、挿抜方向Ｚから見て架渡方向Ｙを長手とする長尺状に形成されているので、端子配列方向Ｘにおける各電源端子７０の配置スペースを小さくすることができる。以上のことから、本実施形態に係るコネクタ１０では、全体構成を端子配列方向Ｘに小型化することができる。
【００５０】
また、このコネクタ１０では、電源端子７０の架渡方向の中間部に設けられた第二接触部７０Ａが、可動ハウジング１４における端子配列方向Ｘの端部に保持されている。この第二接触部７０Ａは、相手側コネクタ１２に設けられた相手側電源端子と電気的に接触されて複数の信号端子５０側へ弾性変形するので、第二接触部７０Ａが弾性変形するためのスペースを複数の信号端子５０とは反対側（端子配列方向Ｘの外側）に確保する必要が無い。また、電源端子７０が有する一対の第二弾性部７０Ｂは、第二接触部７０Ａから架渡方向Ｙの両側へそれぞれ延出されているので、端子配列方向Ｘにおける一対の第二弾性部７０Ｂの配置スペースを小さく設定することができる。さらに、電源端子７０が有する一対の第二接続部７０Ｃは、一対の第二弾性部７０Ｂにおける第二接触部７０Ａとは反対側の端部からそれぞれ端子配列方向Ｘの外側（複数の信号端子５０とは反対側）へ延出されている。このように一対の第二接続部７０Ｃの延出方向が設定されているので、一対の第二接続部７０Ｃが、一対の第二弾性部７０Ｂにおける第二接触部７０Ａとは反対側の端部からそれぞれ複数の信号端子５０側へ延出されている構成と比較して、第二接触部７０Ａ及び一対の第二弾性部７０Ｂを複数の信号端子５０に近づけて配置させることができる。その結果、第二接触部７０Ａが端子配列方向Ｘの端部に保持される可動ハウジング１４を、端子配列方向Ｘに小型化することができる。以上のことから、本実施形態によれば、コネクタ１０の全体構成を端子配列方向Ｘに更に小型化することができる。
【００５１】
また、このコネクタ１０では、電源端子７０が有する一対の第二弾性部７０Ｂが、第二接触部７０Ａから架渡方向Ｙの両側へそれぞれ延出されている（架渡方向Ｙの両側へ分岐している）。これにより、例えば、電源端子７０の一対の第二弾性部７０Ｂが第二接触部７０Ａに対する架渡方向Ｙの一方側で端子配列方向Ｘに分岐されている構成と比較して、各第二弾性部７０Ｂが弾性変形し易くなる。
【００５２】
また、このコネクタ１０では、可動ハウジング１４における端子配列方向Ｘの端部には、端子配列方向Ｘの外側へ向けて開口した収容凹部２２が形成されている。この収容凹部２２には、電源端子７０が有する第二接触部７０Ａの大部分が収容されている。これにより、本コネクタ１０の全体構成を端子配列方向Ｘに小型化するに際し、第二接触部７０Ａの配置スペースを確保し易くなる。
【００５３】
しかも、このコネクタ１０では、可動ハウジング１４における端子配列方向Ｘの端部には、端子配列方向Ｘの外側及び架渡方向Ｙの外側へ向けて開口した一対のばね収容凹部２８が形成されている。これら一対のばね収容凹部２８には、電源端子７０が有する一対の第二弾性部７０Ｂの一部が収容されている。これにより、本コネクタ１０の全体構成を端子配列方向Ｘに小型化するに際し、一対の第二弾性部７０Ｂの配置スペースを確保し易くなる。
【００５４】
換言すれば、可動ハウジング１４の配置スペースとなるデッドスペースに収容凹部２２及び一対のばね収容凹部２８が形成され、これらの凹部２２、２８内に第二接触部７０Ａ及び一対の第二弾性部７０Ｂの一部が収容されているので、コネクタ１０の全体構成を端子配列方向Ｘに更に小型化し易くなる。
【００５５】
また、このコネクタ１０では、電源端子７０が有する第二接触部７０Ａは、端子配列方向Ｘに沿った板厚寸法が架渡方向Ｙに沿った幅寸法より小さい板状に形成されている。この第二接触部７０Ａを有する電源端子７０には、信号端子５０よりも大きな電流が流れるため、断面積を大きく確保することが求められる。この点、本実施形態によれば、第二接触部７０Ａの断面積を上記の幅寸法によって確保しつつ、端子配列方向Ｘにおける第二接触部７０Ａの寸法を小さく設定することができる。したがって、本実施形態によれば、コネクタ１０の全体構成を端子配列方向Ｘに更に小型化し易くなる。
【００５６】
さらに、このコネクタ１０では、電源端子７０が有する一対の第二弾性部７０Ｂは、可動ハウジング１４の抜去方向（上方）へ凸をなして曲がった第二ばね部７０Ｂ１を有している。これにより、端子配列方向Ｘにおける一対の第二弾性部７０Ｂの寸法を小さく設定しつつ、一対の第二弾性部７０Ｂを弾性変形させ易くなる。
【００５７】
＜実施形態の補足説明＞
上記実施形態では、電源端子７０が有する第二接触部７０Ａの上端部に、左右方向（架渡方向Ｙ）に並んだ一対の第二接点部７１Ａ１、７１Ｂ１が設けられた構成にしたが、これに限るものではない。例えば図１４に示される電源端子７０’（変形例）のように、第二接触部７０Ａ’の上端部に、上下方向（挿抜方向Ｚ）に並んだ一対の第二接触部７１Ａ１’、７１Ｂ１’が設けられた構成にしてもよい。
【００５８】
この電源端子７０’では、第二接触部７０Ａ’の第二接点弾性部７０Ａ１’の構成が、上記実施形態に係る電源端子７０と異なっているが、それ以外の構成は、電源端子７０と同様とされている。この電源端子７０’の第二接点弾性部７０Ａ１’には、前後方向（端子配列方向Ｘ）から見て略逆Ｕ字状のスリット（開口）７３が形成されている。これにより、第二接点弾性部７０Ａ１’は、前後方向から見て略逆Ｕ字状をなす外側分割部７１Ｃと、当該外側分割部７１Ｃの内側に配置された内側分割部７１Ｄとに分割されている。
【００５９】
外側分割部７１Ｃ及び内側分割部７１Ｄの上端部には、前後方向外側へ向けて略円弧状に膨出した第二接点部７１Ｃ１、７１Ｄ１が設けられている。これらの第二接点部７１Ｃ１、７１Ｄ１は、上下方向（挿抜方向Ｙ）に並んでおり、収容凹部２２の前後方向外側へ突出している。これらの第二接点部７１Ｃ１、７１Ｄ１が相手側コネクタ１２に設けられた相手側電源端子と接触されることで、電源端子７０’が相手側電源端子と電気的に接続される。この電気的な接続は、第二接点部７１Ｃ１、７１Ｄ１のうちの一方が損傷した場合でも、第二接点部７１Ｃ１、７１Ｄ１のうちの他方によって確保される構成になっている。
【００６０】
しかも、この電源端子７０’では、相手側コネクタ１２がコネクタ１０に挿入（接続）される際に、上側の第二接点部７１Ｃ１が下側の第二接点部７１Ｄ１よりも先に相手側電源端子と摺接する。これにより、例えば相手側電源端子の表面に酸化皮膜が形成されている場合でも、当該酸化皮膜を上記の摺接によって削り取ることができるので、下側の第二接点部７１Ｄ１と相手側電源端子とを良好に導通させることができる。
【００６１】
また、上記実施形態では、電源端子７０が有する一対の第二弾性部７０Ｂが、第二接続部７０Ａから架渡方向Ｙの両側へ延出された構成にしたが、当該構成に加えて、一対の第二弾性部のそれぞれが更に端子配列方向Ｘに並ぶ複数の弾性部（ばね部）に分岐した（分割された）構成にしてもよい。換言すれば、本発明に係る電源端子は、第二接触部（接触部）から架渡方向の両側へそれぞれ延出された少なくとも一対の第二弾性部を有するものであればよい。
【００６２】
また、上記実施形態では、一対の第二弾性部７０Ｂは、可動ハウジング１４の抜去方向へ凸をなして曲がった構成にしたが、これに限らず、一対の第二弾性部の形状は適宜変更可能である。また、上記実施形態では、第二接触部７０Ａは、端子配列方向Ｘに沿った板厚寸法が架渡方向Ｙに沿った幅寸法よりも小さい板状に形成された構成にしたが、これに限らず、第二接触部（電源端子の接触部）の形状は適宜変更可能である。
【００６３】
さらに、上記実施形態では、可動ハウジング１４における端子配列方向Ｘの端部に、収容凹部２２及び一対のばね収容凹部２８が形成された構成にしたが、これに限らず、収容凹部及び一対のばね収容凹部のうちの一方又は両方が省略された構成にしてもよい。
【００６４】
その他、本発明は、その要旨を逸脱しない範囲で種々変更して実施できる。また、本発明の権利範囲が上記実施形態に限定されないことは勿論である。
【符号の説明】
【００６５】
１０      コネクタ
１２      相手側コネクタ（接続対象物）
１４      可動ハウジング
２２      収容凹部
２８      ばね収容凹部
３０      固定ハウジング
３０Ａ、３０Ｂ    側壁部
５０      信号端子
５０Ｂ    第一弾性部
７０      電源端子
７０Ａ    第二接触部（接触部）
７０Ｂ    第二弾性部
７０Ｃ    第二接続部（接続部）
Ｘ        端子配列方向
Ｙ        架渡方向
Ｚ        挿抜方向
【図１】
2019071215.tif 000003
【図２】
2019071215.tif 000004
【図３】
2019071215.tif 000005
【図４】
2019071215.tif 000006
【図５】
2019071215.tif 000007
【図６】
2019071215.tif 000008
【図７】
2019071215.tif 000009
【図８】
2019071215.tif 000010
【図９】
2019071215.tif 000011
【図１０】
2019071215.tif 000012
【図１１】
2019071215.tif 000013
【図１２】
2019071215.tif 000014
【図１３】
2019071215.tif 000015
【図１４】
2019071215.tif 000016